【手続補正書】
【提出日】平成19年11月2日(2007.11.2)
【手続補正１】
【補正対象書類名】明細書
【補正対象項目名】特許請求の範囲
【補正方法】変更
【補正の内容】
【特許請求の範囲】
【請求項１】  メディアサーバにおいてデジタルデータストリームを構成するための方法であって、
前記メディアサーバにおいて、第１のユーザから特定されたコンテントの第１のリクエストを受信するステップを含み、前記特定されたコンテントは、元の一連のデジタル情報フレームを表わすデータを含み、前記方法はさらに、
前記第１のユーザに関連した第１のユーザプロファイルを照会するステップと、
前記第１のユーザプロファイルおよび前記特定されたコンテントに基づいて第１のデジタルデータストリームの構成を決定して前記メディアサーバから前記第１のユーザに送信するステップと、
前記第１のカスタマイズされたデジタルデータストリームを構成するステップとを含み、
前記第１のカスタマイズされたデジタルデータストリームを構成するステップは、以下のステップ（ａ）、（ｂ）および（ｃ）のうち少なくとも１つを実行することを含み、
（ａ）前記元の一連のフレームから１つ以上のフレームを除去するステップ、前記除去されたフレームは前記第１のユーザプロファイルに基づいて選択され、
（ｂ）前記第１のユーザプロファイルに基づいて、前記元の一連のフレームのうちの１つ以上に関連したオーディオ情報を変更するステップ、
（ｃ）前記第１のユーザプロファイルに基づいて、追加のビデオフレームを前記元の一連のフレームに挿入するステップ、前記追加のビデオフレームは元の一連のフレームにおけるいかなるフレームも変更せず、
前記方法はさらに、
前記第１のカスタマイズされたデジタルデータストリームを前記メディアサーバから前記第１のユーザに送信するステップと、
前記メディアサーバにおいて、第２のユーザから前記特定されたコンテントの第２のリクエストを受信するステップと、
前記第２のユーザに関連した第２のユーザプロファイルを照会するステップと、
前記第２のユーザプロファイルおよび前記特定されたコンテントに基づいて第２のデジタルデータストリームの構成を決定して前記メディアサーバから前記第２のユーザに送信するステップと、
前記第２のカスタマイズされたデジタルデータストリームを構成するステップとを含み
、
前記第２のカスタマイズされたデジタルデータストリームを構成するステップは、以下のステップ（ａ）、（ｂ）および（ｃ）のうち少なくとも１つを実行することを含み、
（ａ）前記元の一連のフレームから１つ以上のフレームを除去するステップ、前記除去されたフレームは前記第２のユーザプロファイルに基づいて選択され、
（ｂ）前記第２のユーザプロファイルに基づいて、前記元の一連のフレームのうちの１つ以上に関連したオーディオ情報を変更するステップ、
（ｃ）前記第２のユーザプロファイルに基づいて、追加のビデオフレームを前記元の一連のフレームに挿入するステップ、前記追加のビデオフレームは元の一連のフレームにおけるいかなるフレームも変更せず、
前記方法はさらに、
前記第２のカスタマイズされたデジタルデータストリームを前記メディアサーバから前記第２のユーザに送信するステップを含み、
前記第１のカスタマイズされたデジタルデータストリームは前記第２のカスタマイズされたデジタルデータストリームとは異なる、方法。
【請求項２】  前記第１のカスタマイズされたデジタルデータストリームを送信する前記ステップおよび前記第２のカスタマイズされたデジタルデータストリームを送信する前記ステップは、リアルタイムでネットワーク上で行なわれる、請求項１に記載の方法。
【請求項３】  前記第１のカスタマイズされたデジタルデータストリームを前記第１のユーザに送信する前記ステップは、
前記第１のカスタマイズされたデジタルデータストリームを固定記憶媒体に記憶するステップと、
前記第１のユーザが前記固定記憶媒体にアクセスすることを可能にするステップとを含む、請求項１に記載の方法。
【請求項４】  前記追加のビデオフレームは、オーディオ情報とビジュアル情報との両方を含む、請求項１に記載の方法。
【請求項５】  前記第１のカスタマイズされたデジタルデータストリームを前記メディアサーバから前記第１のユーザに送信する前記ステップは、
前記特定されたコンテントと並行して前記追加のビデオフレームを前記第１のユーザに提供するステップを含む、請求項１に記載の方法。
【請求項６】  前記第１のカスタマイズされたデジタルデータストリームを構成する前記ステップは、前記第１のユーザプロファイル内で指示される第１のユーザのアイデンティティ、第１のユーザの購買習慣、第１のユーザのサービスステータス、および視聴に関する好みからなる群より選択される少なくとも１つの要素に関する記憶されたルールセットを照会することによって実行される、請求項１に記載の方法。
【請求項７】  前記追加のビデオフレームは、
広告、前記第１のユーザの請求書に関する個人用明細書、および特別な宣伝に関する情報からなる群より選択される少なくとも１つの要素を含む、請求項１に記載の方法。
【請求項８】  前記元の一連のデジタル情報フレームは、１つよりも多いファイルに物理的に記憶される、請求項１に記載の方法。
【請求項９】  前記第１のカスタマイズされたデジタルデータストリームは、前記第１のユーザプロファイル内で指示される言語でのクローズドキャプションテキストに対応するビデオ情報を含む、請求項１に記載の方法。
【請求項１０】  前記第１のカスタマイズされたデジタルデータストリームは、前記第１のユーザプロファイル内で指示される言語での音声変換を含む、請求項１に記載の方法。
【請求項１１】  前記第１のカスタマイズされたデジタルデータストリームは、前記特定されたコンテントのレターボックスバージョンに対応するビデオ情報を含む、請求項１に記載の方法。
【請求項１２】  メディアサーバにおいてデジタルデータストリームを構成するため
の１つ以上の命令シーケンスを搬送するコンピュータ読出可能な媒体であって、１つ以上のプロセッサによる１つ以上の命令シーケンスの実行は、１つ以上のプロセッサに以下のステップを行なわせ、前記ステップは、
前記メディアサーバにおいて、第１のユーザから特定されたコンテントの第１のリクエストを受信するステップを含み、前記特定されたコンテントは、元の一連のデジタル情報フレームを表わすデータを含み、さらに、
前記第１のユーザに関連した第１のユーザプロファイルを照会するステップと、
前記第１のユーザプロファイルおよび前記特定されたコンテントに基づいて第１のデジタルデータストリームの構成を決定して前記メディアサーバから前記第１のユーザに送信するステップと、
前記第１のカスタマイズされたデジタルデータストリームを構成するステップとを含み、
前記第１のカスタマイズされたデジタルデータストリームを構成するステップは、以下のステップ（ａ）、（ｂ）および（ｃ）のうち少なくとも１つを実行することを含み、
（ａ）前記元の一連のフレームから１つ以上のフレームを除去するステップ、前記除去されたフレームは前記第１のユーザプロファイルに基づいて選択され、
（ｂ）前記第１のユーザプロファイルに基づいて、前記元の一連のフレームのうちの１つ以上に関連したオーディオ情報を変更するステップ、
（ｃ）前記第１のユーザプロファイルに基づいて、追加のビデオフレームを前記元の一連のフレームに挿入するステップ、前記追加のビデオフレームは元の一連のフレームにおけるいかなるフレームも変更せず、
前記方法はさらに、
前記第１のカスタマイズされたデジタルデータストリームを前記メディアサーバから前記第１のユーザに送信するステップと、
前記メディアサーバにおいて、第２のユーザから前記特定されたコンテントの第２のリクエストを受信するステップと、
前記第２のユーザに関連した第２のユーザプロファイルを照会するステップと、
前記第２のユーザプロファイルおよび前記特定されたコンテントに基づいて第２のデジタルデータストリームの構成を決定して前記メディアサーバから前記第２のユーザに送信するステップと、
前記第２のカスタマイズされたデジタルデータストリームを構成するステップとを含み、
前記第２のカスタマイズされたデジタルデータストリームを構成するステップは、以下のステップ（ａ）、（ｂ）および（ｃ）のうち少なくとも１つを実行することを含み、
（ａ）前記元の一連のフレームから１つ以上のフレームを除去するステップ、前記除去されたフレームは前記第２のユーザプロファイルに基づいて選択され、
（ｂ）前記第２のユーザプロファイルに基づいて、前記元の一連のフレームのうちの１つ以上に関連したオーディオ情報を変更するステップ、
（ｃ）前記第２のユーザプロファイルに基づいて、追加のビデオフレームを前記元の一連のフレームに挿入するステップ、前記追加のビデオフレームは元の一連のフレームにおけるいかなるフレームも変更せず、
前記方法はさらに、
前記第２のカスタマイズされたデジタルデータストリームを前記メディアサーバから前記第２のユーザに送信するステップを含み、
前記第１のカスタマイズされたデジタルデータストリームは前記第２のカスタマイズされたデジタルデータストリームとは異なる、コンピュータ読出可能な媒体。
【請求項１３】  前記第１のカスタマイズされたデジタルデータストリームを送信する前記ステップおよび前記第２のカスタマイズされたデジタルデータストリームを送信する前記ステップは、リアルタイムでネットワーク上で行なわれる、請求項１２に記載のコンピュータ読出可能な媒体。
【請求項１４】  前記第１のカスタマイズされたデジタルデータストリームを前記第１のユーザに送信する前記ステップは、
前記第１のカスタマイズされたデジタルデータストリームを固定記憶媒体に記憶するステップと、
前記第１のユーザが前記固定記憶媒体にアクセスすることを可能にするステップとを含む、請求項１２に記載のコンピュータ読出可能な媒体。
【請求項１５】  前記追加のビデオフレームは、オーディオ情報とビジュアル情報との両方を含む、請求項１２に記載のコンピュータ読出可能な媒体。
【請求項１６】  前記第１のカスタマイズされたデジタルデータストリームを前記メディアサーバから前記第１のユーザに送信する前記ステップは、
前記特定されたコンテントと並行して前記追加のビデオフレームを前記第１のユーザに提供するステップを含む、請求項１２に記載のコンピュータ読出可能な媒体。
【請求項１７】  前記第１のカスタマイズされたデジタルデータストリームを構成する前記ステップは、前記第１のユーザプロファイル内で指示される第１のユーザのアイデンティティ、第１のユーザの購買習慣、第１のユーザのサービスステータス、および視聴に関する好みからなる群より選択される少なくとも１つの要素に関する記憶されたルールセットを照会することによって実行される、請求項１２に記載のコンピュータ読出可能な媒体。
【請求項１８】  前記追加のビデオフレームは、
広告、前記第１のユーザの請求書に関する個人用明細書、および特別な宣伝に関する情報からなる群より選択される少なくとも１つの要素を含む、請求項１２に記載のコンピュータ読出可能な媒体。
【請求項１９】  前記元の一連のデジタル情報フレームは、１つよりも多いファイルに物理的に記憶される、請求項１２に記載のコンピュータ読出可能な媒体。
【請求項２０】  前記第１のカスタマイズされたデジタルデータストリームは、前記第１のユーザプロファイル内で指示される言語でのクローズドキャプションテキストに対応するビデオ情報を含む、請求項１２に記載のコンピュータ読出可能な媒体。
【請求項２１】  前記第１のカスタマイズされたデジタルデータストリームは、前記第１のユーザプロファイル内で指示される言語での音声変換を含む、請求項１２に記載のコンピュータ読出可能な媒体。
【請求項２２】  前記第１のカスタマイズされたデジタルデータストリームは、前記特定されたコンテントのレターボックスバージョンに対応するビデオ情報を含む、請求項１２に記載のコンピュータ読出可能な媒体。